(57)【要約】【課題】キッチンカウンター上に必要な作業スペースを確保し、キッチンでの家事作業が容易に行えるようにする。【解決手段】食器洗浄機本体１と、前記食器洗浄機本体１に設けた洗浄室と、前記洗浄室内に収容した食器を洗浄する洗浄手段と、前記洗浄室の開口部を開閉する扉４とを備え、前記食器洗浄機本体１の底面部５の奥行き長さＬ１を、上面部６の奥行き長さＬ２より短くしたものである。【選択図】図１
2006255061.tif 000002
【特許請求の範囲】
【請求項１】
食器洗浄機本体と、前記食器洗浄機本体に設けた洗浄室と、前記洗浄室内に収容した食器を洗浄する洗浄手段と、前記洗浄室の開口部を開閉する扉とを備え、前記食器洗浄機本体の底面部の奥行き長さを上面部の奥行き長さより短くした食器洗浄装置。
【請求項２】
キッチンカウンターと、前記キッチンカウンターの上方に配設した天袋を有し、前記天袋の下部に食器洗浄機本体を摺動自在に設けるとともに、その摺動方向を前記キッチンカウンターの左右方向に設定した請求項１記載の食器洗浄装置。
【請求項３】
キッチンカウンターと、前記キッチンカウンターの上方に配設した天袋を有し、前記天袋の下部に食器洗浄機本体を摺動自在に設けるとともに、その摺動方向を前記キッチンカウンターの前後方向に設定した請求項１または２記載の食器洗浄装置。
【請求項４】
キッチンカウンターと、前記キッチンカウンターの上方に配設した天袋を有し、前記天袋の下部に食器洗浄機本体を上下動自在に取付けた請求項１〜３のいずれか１項に記載の食器洗浄装置。
【請求項５】
キッチンカウンターと、前記キッチンカウンターの上方に配設した天袋を有し、前記天袋の下部に食器洗浄機本体を水平方向に回動自在とした請求項１〜４のいずれか１項に記載の食器洗浄装置。
【請求項６】
食器洗浄機本体は、上面部の奥行き長さを天袋の奥行き長さとほぼ同等に設定した請求項２〜５のいずれか１項に記載の食器洗浄装置。
【請求項７】
食器洗浄機本体は、下降時に開かれた扉をキッチンカウンターで支持する構成とした請求項４記載の食器洗浄装置。
【発明の詳細な説明】
【技術分野】
【０００１】
本発明は、一般家庭のキッチン等で使用する食器洗浄装置に関するものである。
【背景技術】
【０００２】
一般家庭で使用される食器洗い乾燥機は、例えば、図１０に示すような構成になっている。食器洗い乾燥機本体３１は、食器かご３２にセットした食器３３を収容し洗浄および乾燥を行う洗浄室３４と、洗浄室３４内で食器３３に洗浄水を噴射する洗浄ノズル等で構成される洗浄手段３５と、洗浄水を加熱する加熱手段３６と、洗浄室３４の開口部を開閉する扉３７を備えている。
【０００３】
そして、このような構成の食器洗い乾燥機は、図１１に示すようにキッチンカウンター３８上にある余スペースに設置して使用されることが多く、キッチンシンク３９横のスペース４０、または、キッチンカウンター３８の壁際のスペース４１等に設置されるのが一般的であり、キッチンカウンター３８上での作業スペースや、食器洗い乾燥機本体３１の設置スペースを確保するため、食器洗い乾燥機をコンパクトに設置する構成が種々考えられている（例えば、特許文献１参照）。
【０００４】
また、キッチンカウンターの上方に設置される天袋４２に着目して、食器洗い機や食器乾燥機を設置することも考えられているが、天袋４２の下方に取付けられた食器洗い機によってキッチンカウンターの上方空間を常時占拠する構成となっている（例えば、特許文献２参照）。
【特許文献１】特開２０００−３１６７７５号公報
【特許文献２】特開２０００−９３３７７号公報
【発明の開示】
【発明が解決しようとする課題】
【０００５】
しかしながら、このような従来の食器洗い乾燥機は、キッチンカウンター上に設置することによって調理作業（例えば、まな板上で食材を切る作業）等に必要なスペースが少なくなり、キッチンでの家事作業が行いにくくなるという問題があった。
【０００６】
そこで、本発明はこのような従来の課題を解決するもので、キッチンカウンター上に必要な作業スペースを確保し、キッチンでの家事作業が容易に行えるようにすることを目的としている。
【課題を解決するための手段】
【０００７】
前記従来の課題を解決するために、本発明の食器洗浄装置は、食器洗浄機本体の底面部の奥行き長さを上面部の奥行き長さより短くしたものである。
【０００８】
これにより、キッチンカウンター上に必要な作業スペースを確保することができ、キッチンでの家事作業を容易に行うことができる。
【発明の効果】
【０００９】
本発明の食器洗浄装置は、キッチンカウンター上に必要な作業スペースが確保でき、キッチンでの家事作業を容易に行うことができる。
【発明を実施するための最良の形態】
【００１０】
第１の発明は、食器洗浄機本体と、前記食器洗浄機本体に設けた洗浄室と、前記洗浄室内に収容した食器を洗浄する洗浄手段と、前記洗浄室の開口部を開閉する扉とを備え、前記食器洗浄機本体の底面部の奥行き長さを上面部の奥行き長さより短くしたことにより、食器洗浄機本体の設置面積を小さくすることができ、キッチンカウンター上に必要な作業スペースを確保することができる。
【００１１】
第２の発明は、キッチンカウンターと、前記キッチンカウンターの上方に配設した天袋を有し、前記天袋の下部に食器洗浄機本体を摺動自在に設けるとともに、その摺動方向を前記キッチンカウンターの左右方向に設定したことにより、使用しない場合（運転時など）はキッチン作業の邪魔にならないように、作業領域から離れた横方向に移動させておくことができるとともに、食器洗浄機本体とキッチンカウンターとの間に利用可能な空間を形成することができ、キッチンカウンターを広く使用することができる。また、使用時（食器の出し入れや、操作時等）は、使いやすい位置に食器洗浄機本体を移動させることができ、使い勝手をよくすることができるものである。
【００１２】
第３の発明は、キッチンカウンターと、前記キッチンカウンターの上方に配設した天袋を有し、前記天袋の下部に食器洗浄機本体を摺動自在に設けるとともに、その摺動方向を前記キッチンカウンターの前後方向に設定したことにより、使用時（食器等の出し入れ時）は食器洗浄機本体を前方に移動し、使用者に近い位置に引き寄せて作業ができ、食器の出し入れがし易く操作性をよくすることができる。また、使用しないとき（運転時など）はキッチン作業に邪魔のならないように後方に移動させておくことができ、キッチンカウンターを広く使用できるものである。
【００１３】
第４の発明は、キッチンカウンターと、前記キッチンカウンターの上方に配設した天袋を有し、前記天袋の下部に食器洗浄機本体を上下動自在に取付けたことにより、使用時（食器等の出し入れ時）は本体を下方に移動させ、食器を収納する位置を低くできるため、食器の出し入れがし易く操作性をよくすることができる。また、使用しない場合（運転時など）はキッチン作業に邪魔のならないように上方に移動させておくことができ、キッチンカウンターを広く使用できるものである。
【００１４】
第５の発明は、キッチンカウンターと、前記キッチンカウンターの上方に配設した天袋を有し、前記天袋の下部に食器洗浄機本体を水平方向に回動自在としたことにより、使用時（食器等の出し入れ時）は食器洗浄機本体の扉の方向を使用者の正面に向くように回動させることができ、収納する食器の出し入れがし易く操作性をよくすることができる。また使用しない場合（運転時など）はキッチン作業の邪魔にならない方向に回動させることが可能で、キッチンカウンターを広く使用できるとともに操作性が向上するものである。
【００１５】
第６の発明は、食器洗浄機本体の上面部の奥行き長さを、天袋の奥行き長さとほぼ同等に設定したことにより、食器洗浄機本体が天袋の前面より手前に突出することがなく、天袋の下方にコンパクトに収容することができるとともに、天袋の使用を容易にすることができる。
【００１６】
第７の発明は、食器洗浄機本体は、下降時に開かれた扉をキッチンカウンターで支持する構成としたことにより、食器等の出し入れ時に開かれた扉をキッチンカウンターで下方から支持することができ、開かれた扉上で食器等の出し入れを容易に行うことができる。
【００１７】
以下、本発明の実施の形態について、図面を参照しながら説明する。なお、本実施の形態によって本発明が限定されるものではない。
【００１８】
（実施の形態１）
図１は、本発明の第１の実施の形態における食器洗浄装置の斜視図である。図１において、食器洗浄機本体１はシステムキッチン２のキッチンカウンター３上に設置されている。食器洗浄機本体１は、食器を収容する洗浄室（図示せず）と、この洗浄室内に収容した食器を洗浄する洗浄手段（図示せず）と、洗浄室の開口部を開閉する扉４を備えており、図１０に示した従来の食器洗い乾燥機と同様の一般的な構成を有しており、詳細な説明は省略する。そして、この食器洗浄機本体１は、扉４を設けた正面より見て、底面部５の壁面７までの奥行き長さＬ１を、上面部６の壁面７まで奥行き長さＬ２より短くして、側面の形状をほぼ逆台形形状とし、転倒防止具８で背面の壁面７に固定している。
【００１９】
上記の構成において、食器洗浄機本体１に収納できる食器容積を確保した上で底面部５の奥行き長さＬ１を小さくしたものであり、食器洗浄機本体１の設置面積を小さくすることができ、キッチンカウンター３での家事作業（例えば、調理の下ごしらえ、まな板の使用など）をするための空間が広くとれ、必要な作業スペースを確保することができる。
【００２０】
図２および図３は、転倒防止具８に代えて食器洗浄機本体１の両側板１０に補助体９を設けたもので、上面部６の奥行き長さＬ２とほぼ同等の長さとなるように前方へ突出させてキッチンカウンター３上に設置するようにしてあり、転倒防止具８を用いた場合と同様の作業空間が確保できる。
【００２１】
図４は、キッチンカウンター３の上方に設けられた天袋１１の下面に食器洗浄機本体１の上面部６を固定したものであり、食器洗浄機本体１の下方に第１の作業空間１２を形成することができるとともに、システムキッチン２の前面２ａからの後退距離Ｌ３を大きくすることができ、キッチンカウンター３上の第２の作業空間１２ａを拡大することができる。この場合、食器洗浄機本体１は天袋１１の背面と対向する壁面７に取付けることも可能であり、強固に取着することができる。
【００２２】
また、食器洗浄機本体１の上面部６の奥行き長さＬ２は、天袋１１の奥行き長さとほぼ同等に設定してあり、食器洗浄機本体１が天袋１１の前面１１ａより手前に突出することがなく、天袋１１の下方にコンパクトに収容することができるとともに、天袋１１の使用を容易にすることができる。
【００２３】
（実施の形態２）
図５は、本発明の第２の実施の形態における食器洗浄装置の斜視図である。図５において、システムキッチン２に設けられた天袋１１の下部に食器洗浄機本体１をキッチンカウンター３の左右方向、つまり、キッチンカウンター３が直線的に延びている長さ方向に摺動自在に設けたものである。天袋１１の下面にスライドレール１３のレール部１４を設け、食器洗浄機本体１の上面部６にスライドレール１３の可動部１５を取付けてあり、食器洗浄機本体１を天袋１１の下面に設けたレール部１４に沿って左右方向へ移動できるように構成している。また、スライドレール１３には、使用者が任意の位置で固定できるようにストッパー（図示せず）を設けている。
【００２４】
上記の構成によれば、食器洗浄機を使用する時（食器の出し入れ時）は、食器洗浄機本体１の扉４が正面になるように移動させて使いやすい位置で使用することができ、また、運転中はキッチン作業の邪魔にならないように作業領域から離れた横方向に移動させておくことができる。このためキッチンカウンター３での作業が大幅に改善できるとともに、設置する場所もキッチンカウンター３上には不要となり、キッチンカウンター３を広く使用できるようになる。
【００２５】
なお、天袋１１はキッチンカウンター３の形状に沿ってその上方空間に設置されるのが一般的であり、図５のような長く延びた直線型（Ｉ型）のほか、Ｌ型、コ型等があり、天袋１１も同様の形状に設けられている場合は、スライドレール１３もこの天袋１１の形状に沿って設置することが可能であり、食器洗浄機本体１の移動可能な範囲を広くとることができ、使い勝手をよくすることができる。
【００２６】
また、食器洗浄機本体１は、天袋１１の下面にスライドレール１３のレール部１４を設けて摺動自在に構成したものであるが、天袋１１の背面と対向する壁面７にレール部１４を設けて摺動自在に構成することも可能であり、重量の重い食器洗浄機本体１を堅牢に支持することができる。
【００２７】
（実施の形態３）
図６は、本発明の第３の実施の形態における食器洗浄装置の斜視図である。図６において、システムキッチン２に設けられた天袋１１の下部に食器洗浄機本体１をキッチンカウンター３の前後方向に摺動自在に設けたものである。天袋１１の下面にスライドレール１３のレール部１４を前後方向に設け、食器洗浄機本体１の上面部６にスライドレール１３の可動部１５を取り付け、食器洗浄機本体１が前後方向に移動できるように構成している。スライドレール１３には、使用者が任意の位置で固定できるようにストッパー（図示せず）が設けられている。
【００２８】
上記の構成によれば、食器洗浄機を使用する時（食器の出し入れ時）は、食器洗浄機本体１がキッチンカウンター３の奥に設置されている場合、食器の出し入れがしずらい。そのため、手前に引き出し使用者に近い位置に引き寄せることによって、出し入れがし易く操作性をよくすることができる。また、使用しないとき（運転時など）はキッチン作業に邪魔のならないように後方に移動させておくことができ、キッチンカウンター３を広く使用できるものである。
【００２９】
（実施の形態４）
図７は、本発明の第４の実施の形態における食器洗浄装置の正面図である。図７において、システムキッチン２に設けられた天袋１１の下面に食器洗浄機本体１が上下動できる様にパンタグラフ構成の上下可動装置１６が設けられ、食器洗浄機本体１の上面部６が固定されている。また、食器洗浄機本体１は、上下可動装置１６のバネ１７と力学的なバランスが取れ、自在の高さで停止できるようになっている。これにより、食器の出し入れ時は食器洗浄機本体１を下方へ移動させ、運転時はキッチンカウンター３での作業の邪魔にならないように上方に移動させておくことができ、使い勝手が大幅に改善できるものである。
【００３０】
また、食器の出し入れ時に食器洗浄機本体１を上昇位置から下降位置へと移動させた時は、図８のように、開かれた扉４をキッチンカウンター３で略水平状態に支持するようにしてあり、これにより、食器等の出し入れ時に開かれた扉４にかかる荷重をキッチンカウンター３で下方から支持することができ、上下可動装置１６にかかる負荷を軽減することができるとともに、開かれた扉４上で食器等の出し入れを容易に行うことができる。
【００３１】
（実施の形態５）
図９は、本発明の第５の実施の形態における食器洗浄装置の斜視図である。図９において、システムキッチン２に設けられた天袋１１の下面に回転板１８を取り付け、さらに回転板１８に食器洗浄機本体１の上面部６を固定し、食器洗浄機本体１が回転板１８を中心に水平方向に回動できるように構成している。このため、使用時（食器等の出し入れ時）は食器洗浄機本体１の扉４が使用者の正面に向くように回動させることができ、収納する食器の出し入れがし易く操作性を大幅に向上できる。また、使用しない場合（運転時など）は、キッチン作業に邪魔のならないような位置に回転させることが可能で、キッチンカウンター３を広く使用できるとともに操作性が向上するものである。
【００３２】
なお、食器洗浄機本体１の移動自在な方向、すなわち、左右方向、前後方向、上下方向、および水平方向の回動は、各々単独で実施可能であり、また、複数の方向と位置を任意に組み合わせることができるほか、全ての方向と位置で移動自在とすることができる。そして、食器洗浄機本体１に対する給水装置および食器洗浄機本体１からの排水装置は、食器洗浄機本体１の移動に応じて自在に可動できる構成を有するものであり、図示は省略している。
【００３３】
また、本発明の食器洗浄装置は、食器洗浄機で説明したが、食器洗い乾燥機または食器乾燥機であってもよく、これらを含むものである。
【産業上の利用可能性】
【００３４】
以上のように、本発明にかかる食器洗浄装置は、キッチンカウンター上に必要な作業スペースが確保でき、キッチンでの家事作業を容易に行うことができるので、キッチン等で使用する食器洗い機、食器乾燥機、食器収納ケース等に適用できる。
【図面の簡単な説明】
【００３５】
【図１】本発明の実施の形態１における食器洗浄装置の斜視図
【図２】同食器洗浄装置の他の例を示す斜視図
【図３】同食器洗浄装置の他の例を示す斜視図
【図４】同食器洗浄装置の他の例を示す側面図
【図５】本発明の実施の形態２における食器洗浄装置の斜視図
【図６】本発明の実施の形態３における食器洗浄装置の斜視図
【図７】本発明の実施の形態４における食器洗浄装置の正面図
【図８】同食器洗浄装置の他の例を示す側面図
【図９】本発明の実施の形態５における食器洗浄装置の斜視図
【図１０】従来の食器洗い乾燥機の断面図
【図１１】同食器洗い乾燥機を設置したキッチンの斜視図
【符号の説明】
【００３６】
１  食器洗浄機本体
２  システムキッチン
３  キッチンカウンター
４  扉
５  底面部
６  上面部
１１  天袋
１３  スライドレール
１６  上下可動装置
１８  回転板
【図１】
2006255061.tif 000003
【図２】
2006255061.tif 000004
【図３】
2006255061.tif 000005
【図４】
2006255061.tif 000006
【図５】
2006255061.tif 000007
【図６】
2006255061.tif 000008
【図７】
2006255061.tif 000009
【図８】
2006255061.tif 000010
【図９】
2006255061.tif 000011
【図１０】
2006255061.tif 000012
【図１１】
2006255061.tif 000013